(57)【要約】【課題】光ディスク装置において、回転時の光ディスクの傾きや変形を減らし、記録情報の読取りや書き込みを確保できる技術の提供。【解決手段】ディスクモータのロータの、光ディスクの中心孔よりも外径側の位置に、該ロータケースを厚み方向に貫通する貫通孔を設けるとともに、該光ディスクの平面と上記ロータケース平面との間に上記貫通孔と連続する空間部を形成し、上記光ディスクの回転時に装置内の空気が、上記ディスクモータ側から、上記貫通孔、上記空間部の順に流動する構成とする。【選択図】  図３
2004326992.tif 000002
【特許請求の範囲】
【請求項１】
光ディスクを回転させ情報の記録または再生を行う光ディスク装置において、
上記光ディスクと同心状に配され、該光ディスク平面に沿うロータケース平面内で該光ディスクの中心孔よりも外径側の位置に該ロータケースを厚み方向に貫通する貫通孔を設けたロータを有し、該光ディスクを回転駆動するディスクモータと、
上記ロータケースと同心状に配され上記貫通孔よりも外径側位置において上記光ディスクの平面部を支持する第１の部材と、該光ディスクの中心孔内に挿入可能な構成を有し該光ディスクを径方法に規制する第２の部材とを有し、該光ディスクの平面と上記ロータケース平面との間に上記貫通孔と連続した空間部を形成するディスク保持部と、
を備え、記録または再生動作時に、上記光ディスクの回転により、装置内の空気が、上記光ディスクのディスクモータ側の面側から他方の面側に向け、上記貫通孔、上記空間部、上記ディスク保持部の上記第２の部材の順に通過して流動する構成としたことを特徴とする光ディスク装置。
【請求項２】
光ディスクを回転させて情報の記録または再生を行う光ディスク装置において、
上記光ディスクと同心状に配され、該光ディスク平面に沿うロータケース平面内で該光ディスクの中心孔よりも外径側の位置に第１の貫通孔を有したロータを有し、該光ディスクを回転駆動するディスクモータと、
上記ロータケースと同心状に配され上記第１の貫通孔よりも外径側位置において上記光ディスクの平面部を支持するシート状の第１の部材と、該光ディスクの中心孔内に挿入可能な構成を有し内周側部分に第２の貫通孔または外周側部分に切欠部を有し該光ディスクの径方法位置を規制する第２の部材とを有し、該光ディスクの平面と上記ロータケースの上記第１の貫通孔を含む平面との間に該第１の貫通孔と連続した空間部を形成したディスク保持部と、
を備え、記録または再生動作時に、上記光ディスクの回転により、装置内の空気が、上記光ディスクのディスクモータ側の面側から他方の面側に向け、上記ロータケースの上記第１の貫通孔、上記空間部、上記第２の貫通孔または上記切欠部の順で通過する構成としたことを特徴とする光ディスク装置。
【請求項３】
光ディスクを回転させ情報の記録または再生を行う光ディスク装置において、
上記光ディスクと同心状に配され、マグネットがロータケースに固定されたロータと、軸方向に貫通孔を有し該ロータを支持する中心軸部材とを有し、該光ディスクを回転駆動するディスクモータと、
上記中心軸部材と同心状に配され上記光ディスクを保持するディスク保持部と、
を備え、記録または再生動作時に、上記光ディスクの回転により、装置内の空気が、上記中心軸部材の上記貫通孔を通り、該光ディスクのディスクモータ側の面側から他方の面側に流れる構成としたことを特徴とする光ディスク装置。
【発明の詳細な説明】
【０００１】
【発明の属する技術分野】
本発明は、光ディスクを回転させ情報の記録または再生を行う光ディスク装置に係り、特に、記録または再生時における光ディスクの記録面の傾きを抑える技術に関する。
【０００２】
【従来技術】
本発明に関連する従来技術としては、例えば、特開２０００−１５５４７号公報（特許文献１）や特開２００１−２３３６６号公報（特許文献２）に記載されたものがある。特開２０００−１５５４７号公報には、高速アクセス時にスピンドルモータで発生した熱がディスク状記憶媒体に伝わるのを抑制するために、該ディスク状記憶媒体をターンテーブルに押付けて保持する磁性材料の被吸引部材に、空気流を起すための羽根と該空気流を流入させる開口とを設けるとともに、ターンテーブルのディスク中心孔への挿入部とディスク支持面とに溝を設け、該挿入部の外周に設けた溝に対しては該溝に直接的に連続する貫通孔をスピンドルモータのロータに設け、上記被吸引部材の羽根と開口とか取込んだ空気を、ターンテーブルの上記各溝に導くようにした構成が記載されている。また、特開２００１−２３３６６号公報には、ディスクの上面側と下面側との温度差を低減してディスクの変形等を抑制するために、ターンテーブルのディスク中心孔への挿入部に貫通孔を設けた構成が記載されている。
【０００３】
【特許文献１】
特開２０００−１５５４７号公報
【特許文献２】
特開２００１−２３３６６号公報
【０００４】
【発明が解決しようとする課題】
一般に、光ディスクを回転させた場合、光ディスクの中心側の領域と、装置筐体としてのトップカバーの内面との間に負圧が発生し、これが光ディスクを傾け、光ピックアップによる記録情報の読取り性能を劣化させる一因となる。また、光ディスクの一方の面側には光ピックアップや、レーザー駆動回路や、ディスクモータなどの発熱源が配されているため、該一方のディスク面が熱せられ、他方のディスク面との間に温度差を生じ、これも光ディスクを変形させて傾け、記録情報の読取り性能を劣化させる一因となる。上記従来技術のうち特開２０００−１５５４７号公報記載の技術は、単に、高速アクセス時にスピンドルモータで発生した熱がディスク状記憶媒体に伝わり変形するのを抑制するための技術であって、ディスク回転で発生する上記負圧を減らすことは不可能である。また、特開２００１−２３３６６号公報記載の技術も、単にディスクの反り等を減らすために、ターンテーブルに貫通孔を設け、これを通る空気流により、ディスクの上面側と下面側との温度差を緩和する技術であって、上記負圧及びこれによるディスクの傾きの抑制を考慮したものではない。
本発明の課題点は、上記従来技術の状況に鑑み、光ディスク装置において、記録または再生時、光ディスクの中心側の領域とトップカバーの内面との間に発生する負圧を減らすとともに、光ディスクの両面間の温度差を減らすことで、光ディスクの傾きや変形を減らし、光ピックアップによる記録情報の読取り性能や書き込み性能を確保できるようにすることである。
本発明の目的は、かかる課題点を解決できる技術の提供にある。
【０００５】
【課題を解決するための手段】
上記課題点を解決するために、本発明では、基本的に、光ディスク装置として、ディスクモータのロータの、光ディスクの中心孔よりも外径側の位置に、該ロータケースを厚み方向に貫通する貫通孔を設けるとともに、該光ディスクの平面と上記ロータケース平面との間に上記貫通孔と連続する空間部を形成して、上記光ディスクの回転時に装置内の空気が、該光ディスクのディスクモータ側の面側から他方の面側に向け、上記貫通孔、上記空間部の順に通過して流れる構成とする。また、ディスクモータのロータを支持する中心軸部材に軸方向の貫通孔を設け、光ディスクの回転時に装置内の空気が該貫通孔を流動する構成とする。
【０００６】
【発明の実施の形態】
以下、本発明の実施例につき、図面を用いて説明する。
図１〜図３は、本発明の光ディスク装置の第１の実施例の説明図である。図１は、本発明の実施例としての光ディスク装置の外観図、図２は、図１の光ディスク装置の要部斜視図、図３は、図２の要部の内部構成図である。
図１において、１００は光ディスク（図示なし）を回転駆動するディスクモータ、２は該ディスクモータ１００のロータ、８は光ディスクの平面部を支持するシート状の第１のディスク保持部材、９は、該光ディスクの中心孔内に挿入され該光ディスクの径方法位置を規制する突出状の第２のディスク保持部材、１２は、装置筐体としてのトップケース、２０は同じくボトムケース、２１は、光ディスクを装置内に搬入したり、装置外に搬出したりするためのトレイ、３０はフロントパネル、５０は、光ピックアップ（図示なし）内のレーザーダイオード（図示なし）を駆動するレーザー駆動回路（図示なし）やディスクモータ１００を駆動するモータ駆動回路（図示なし）などが搭載された回路基板、６０は接続用のフレキシブル基板である。ディスクモータ１００のロータ２は、回転中心軸に同心状に構成され、上記第１のディスク保持部材８と上記第２のディスク保持部材がそれぞれ、該回転中心軸に対し同心状に取付けられている。本図１は、トレイ２１をボトムケース２０から引出しかつトップケース１２は該ボトムケース２０から図の上方に取外したときの状態を示す。
記録または再生動作時には、上記トレイ２１上に光ディスクを載置して装置内に搬入し、所定位置において該光ディスクをトレイ２１の載置面から浮かせ、上記第１のディスク保持部材８と第２のディスク保持部材９により該光ディスクを保持する。該保持された状態で光ディスクはディスクモータ１００により所定の回転速度で回転駆動される。
【０００７】
図２は、上記図１の構成におけるディスクモータ及び第１、第２のディスク保持部材の拡大図である。上記図１に示すと同じ部分には同じ符号を付す。
【０００８】
図２において、４ａ、４ｂ、４ｃは、ロータケース２ａの厚み方向に貫通する第１の貫通孔、１１はディスクモータ１００の回転中心軸、１０ａ、１０ｂ、１０ｃは、第２のディス保持部材９に設けられた第２の貫通孔、４０ａ、４０ｂ、４０ｃは、該第２のディス保持部材９の外周部に設けられ光ディスクの中心孔に挿入され該光ディスクの半径方向の位置決めを行う突出部、４１ａ、４１ｂ、４１ｃは、同じく該第２のディス保持部材９の外周部にあって、突出部４０ａ、４０ｂ、４０ｃの間に設けられる突出部、５１ａ、５１ｂ、５１ｃ、５２ａ、５２ｂ、５２ｃは切欠部である。第１の貫通孔４ａ、４ｂ、４ｃは、ロータ上において第１のディスク保持部材８の内側で光ディスクの中心孔よりも外径側の位置に設けられる。第１のディスク保持部材８と第２のディスク保持部材９はそれぞれ、ロータと同心状に配され、かつ該ロータ上に固定される。第１のディスク保持部材８は、シート状かつ円環状の形状を有し、ロータ上において上記第１の貫通孔４ａ、４ｂ、４ｃよりも外径側位置に固定される。第２のディスク保持部材９は、ロータの回転中心軸側のボス部に固定され、光ディスクの中心孔内に挿入される。
【０００９】
図３は、図２のディスクモータと第１、第２のディスク保持部材の内部構成を示す図である。ディスクモータ１００と第１のディスク保持部材８は、図２におけるＡ−Ａ断面の構成を示し、第２のディスク保持部材９は、図２のＢ−Ｂ断面における構成を示す。
図３において、１は光ディスク、２ａは、ディスクモータ１００のロータ２のロータケース、２ｂは、同じくロータ２のロータマグネット、５ａは、ディスクモータ１００のステータ５のステータコア、５ｂは同じくステータ５のステータコイル、７は、光ディスク１の平面とロータケース２ａの平面との間に形成され上記第１の貫通孔４ａ（４ｂ、４ｃも同じ）と連続する空間部、１３は、回転中心軸１１を支承するスラスト軸受、３００は空気流である。その他、上記図１及び図２に示したと同じ部分には同じ符号を付す。第１のディスク保持部材８と第２のディスク保持部材９はそれぞれ、ロータケース２ａと同心状に配され、かつ該ロータケース２ａに固定される。第１のディスク保持部材８は、ロータケース２ａ上において第１の貫通孔４ａ、４ｂ、４ｃよりも外径側位置に固定され、上記光ディスクの中心孔に近いディスク平面部を支持する。第２のディスク保持部材９は、その内径部においてロータケース２ａに固定され、外周部の突出部４０ａ、４０ｂ、４０ｃにおいて光ディスクの中心孔の周縁部に接し該光ディスクの径方法位置を規制する。ロータケース２ａと第２のディスク保持部材９は、第１の貫通孔４ａ、４ｂ、４ｃと、第２の貫通孔１０ａ、１０ｂ、１０ｃ及び切欠部５１ａ、５１ｂ、５１ｃ、５２ａ、５２ｂ、５２ｃとが互いに、回転中心軸１１周りに適宜ずれた角度位置にあるようにしてもよいし、または、第１の貫通孔４ａ、４ｂ、４ｃに対し、第２の貫通孔１０ａ、１０ｂ、１０ｃ、切欠部５１ａ、５１ｂ、５１ｃ、５２ａ、５２ｂ、５２ｃのうちの一部が、回転中心軸１１周りに略一致した位置となるようにしてもよい。
【００１０】
上記図３の構成で、記録または再生動作時は、ディスクモータ１００のステータ５のステータコイル５ｂにモータ駆動回路（図示なし）から駆動電流が供給されてロータ２が回転されることで、第１、第２のディスク保持部材８、９と、これらに保持されている光ディスク１が回転される。光ディスク１の回転により、その表面部の空気は、光ディスク１の内径側から外径側に向かって流動する。光ディスク１に関しディスク下面側（ディスクモータ１００側）にある装置内の空気は、ロータマグネット２ｂの下方部からディスクモータ１００内に吸込まれ、ステータコイル５ｂの設けられたステータコア５ａのスロット部を通り、さらに、ロータケース２ａの第１の貫通孔４ａ（４ｂ、４ｃも同じ）、空間部７、第２のディスク保持部材９の第２の貫通孔１０ａ（１０ｂ、１０ｃも同じ）を通って、図の上方の、該第２のディスク保持部材９とトップケース１２との間の空間に至り、さらにその後、光ディスク１の外径側に向かって流動する。これによって空気流３００が形成される。該空気流３００は、トップケース１２の内面と、第２のディスク保持部材９との間または光ディスク１の内径側の表面との間の負圧を減らすとともに、光ディスク１の上下面間の温度差を抑えるように働く。
【００１１】
上記第１の実施例によれば、簡易な構成により、上記空気流３００を形成することができる。この結果、光ディスク１の上面側における負圧を減らすことができ、これに起因した光ディスクの傾きを抑えられるとともに、光ディスク１の上下面間の温度差を抑えることもでき、光ディスク１の該温度差による反りを減らすことができる。光ディスク１の上記傾きや変形を抑えることにより、光ピックアップによる記録情報の読取り性能や書き込み性能を確保することができ、光ディスク装置の信頼性を向上させられる。装置内全体の温度上昇も抑えられる。特に、光ディスク１の平面とロータケース２ａの平面との間にあって第１の貫通孔４ａ、４ｂ、４ｃと連続する空間部７を設けることにより、該空間部７内に空気流３００を形成することができ、光ディスク１の下面部とロータケース２ａの平面部とを効率的に冷却することができる。
【００１２】
図４は、本発明の第２の実施例の要部構成図である。図４は、ディスクモータとディスク保持部材の内部構成を示す。本第２の実施例も、上記第１の実施例と同様、ディスクモータのロータのロータケースに同心状に、第１、第２のディスク保持部材を固定した構成である。本第２の実施例では、回転中心軸の軸方向に貫通孔を設ける。
図４において、１５は回転中心軸、１６は、回転中心軸１５の軸方向に設けた軸貫通孔、１４はボールベアリングである。その他、上記図１〜図３の第１の実施例と同じ部分には同じ符号を付す。回転中心軸１５は、スラスト荷重もボールベアリング１４で支持される。
【００１３】
図４の構成において、記録または再生動作時、ディスクモータ１００により、ロータ２、第１のディスク保持部材８、第２のディスク保持部材９とともに、光ディスク１が回転されると、該光ディスク１の回転により、その表面部の空気は、上記第１の実施例の場合と同様、光ディスク１の内径側から外径側に向かって流動する。光ディスク１の下面側（ディスクモータ１００側）にある装置内の空気は、回転中心軸１５の下端側から軸貫通孔１６内に吸込まれ、該軸貫通孔１６を通って、該回転中心軸１５の上端側から、図の上方の、該第２のディスク保持部材９とトップケース１２との間の空間に流出される。流出された空気は、さらに、光ディスク１の内径側から外径側に向かって流動する。これによって空気流４００が形成される。該空気流４００は、上記第１の実施例における空気流３００と同様、トップケース１２の内面と、第２のディスク保持部材９との間または光ディスク１の内径側の表面との間の負圧を減らすとともに、光ディスク１の上下面間の温度差を抑えるように働く。
【００１４】
上記第２の実施例によれば、簡易な構成により、上記空気流４００を形成することで、光ディスク１の上面側における負圧を減らすことができ、これに起因した光ディスクの傾きを抑えられるとともに、光ディスク１の上下面間の温度差を抑えることもでき、光ディスク１の該温度差による反りを減らすことができる。光ディスク１の上記傾きや変形を抑えることにより、光ピックアップによる記録情報の読取り性能や書き込み性能を確保することができ、光ディスク装置の信頼性を向上させられる。装置内全体の温度上昇も抑えられる。特に、本第２の実施例では、回転中心軸１５に設けた軸貫通孔１６内を通して空気流４００を形成する構成のため、ディスク下面側の空気を抵抗の少ない状態でスムーズにディスク上面側に導くことができる。
【００１５】
なお、上記第２の実施例では、回転中心軸１５を用い、該回転中心軸１５に軸貫通孔１６を設ける構成としたが、本発明はこれに限定されず、例えば、固定中心軸を用い、該固定中心軸の周りに軸受を介してディスクモータのロータ及び第１、第２のディスク保持部材を係合させる構成とし、該構成の中で、該固定中心軸の軸方向に軸貫通孔を設けるようにしてもよい。かかる構成とした場合も、ほぼ上記第２の実施例の場合と同様の効果が得られる。また、上記第１の実施例のようにディスクモータのロータケースに貫通孔を設ける構成と、上記第２の実施例のように回転中心軸に貫通孔を設ける構成または上記のように固定中心軸に貫通孔を設ける構成とを組合わせた構成としてもよい。
【００１６】
【発明の効果】
本発明によれば、光ディスク装置において、記録または再生時の光ディスクの傾きや変形を減らし、記録情報の読取りや書き込みを確実に行うことが可能となる。
【図面の簡単な説明】
【図１】本発明の第１の実施例としての光ディスク装置の外観図である。
【図２】図１の光ディスク装置の要部斜視図である。
【図３】図２の内部構成図である。
【図４】本発明の第２の実施例における要部構成図である。
【符号の説明】
１…光ディスク、  ２…ロータ、  ２ａ…ロータケース、  ２ｂ…ロータマグネット、  ４ａ、４ｂ、４ｃ…第１の貫通孔、  ５…ステータ、  ５ａ…ステータコア、  ５ｂ…ステータコイル、  ８…第１のディスク保持部材、  ９…第２のディスク保持部材、  １０ａ、１０ｂ、１０ｃ…第２の貫通孔、  １１、１５…回転中心軸、  １２…トップケース、  １６…軸貫通孔、  ２０…ボトムケース、  ２１…トレイ、  ５０…回路基板、  ５１ａ、５１ｂ、５１ｃ、５２ａ、５２ｂ、５２ｃ…切欠部、  １００…ディスクモータ、  ３００、４００…空気流。
【図１】
2004326992.tif 000003
【図２】
2004326992.tif 000004
【図３】
2004326992.tif 000005
【図４】
2004326992.tif 000006